(57)【特許請求の範囲】
【請求項１】
第１の筐体と、
前面側に表示装置を備える第２の筐体と、
互いにねじれの位置の関係にある２つの回転軸を有する二軸ヒンジと、を備え、
第１の回転軸が前記第１の筐体に連結され、前記第１の筐体が前記第１の回転軸の軸線を中心にして回転可能に設けられ、
第２の回転軸が前記第２の筐体に連結され、前記第２の筐体が前記第２の回転軸の軸線を中心にして回転可能に設けられることにより、前記第２の筐体の前面または背面が前記第１の筐体の前面に対して重ね合わせ可能とされる携帯型電子機器において、
前記第１の筐体には磁気を検出する磁気センサが設けられ、
前記第２の筐体の背面側には、前記第２の筐体の前面と前記第１の筐体の前面とが対向して重ね合わせられた第１の状態で、前記磁気センサと対向配置される第１の磁石と、前記第２の筐体の背面と前記第１の筐体の前面とが対向して重ね合わせられた第２の状態で、前記磁気センサと対向配置される第２の磁石と、が設けられ、
前記第１の状態では、前記第２の磁石と前記第１の筐体との距離は所定の距離を有し、前記第２の状態では、前記第１の磁石と前記第１の筐体との距離は前記所定の距離よりも小さく、
前記第１の磁石の背面側には磁気シールドが設けられ、該磁気シールドは、前記第１の状態で、前記第１の磁石の前記磁気センサとは反対側に位置して、前記第１の磁石から前記磁気センサへの磁気の流れを妨害せず、前記第２の状態で、前記第１の磁石と前記第１の筐体との間に位置する、ことを特徴とする携帯型電子機器。
【請求項２】
前記第１の磁石は、前記第２の磁石より磁気が強いことを特徴とする請求項１に記載の携帯型電子機器。
【発明の詳細な説明】
【技術分野】
【０００１】
本発明は、携帯電話機等の携帯型電子機器に関する。
【背景技術】
【０００２】
従来の携帯電話機には、２軸ヒンジが採用され、キー操作部を有する本体に対してヒンジ部が回転可能とされるとともに、表示画面を有する蓋体がヒンジ部に対して回転可能とされ、本体と蓋体とを重ね合わせることができる折り畳み式携帯電話機がある。
【０００３】
このような携帯電話機では、本体又は蓋体の一方にホール素子等の磁気センサを設けるとともに、他方に磁石を設け、本体と蓋体とが重ね合わせられた状態で磁気センサと磁石とが対向配置にするようにした開閉検出機構を備えるものある（例えば、特許文献１参照）。このような開閉センサを備える携帯電話機では、磁気センサが磁気を検出することにより、本体と蓋体とが重ね合わせられた状態が識別される。
【特許文献１】特開２００５−２４４７５２号公報
【発明の開示】
【発明が解決しようとする課題】
【０００４】
ところで、近年の折り畳み式携帯電話機では、表示画面の大型化等の理由から、磁気センサと磁石との間に表示装置等を配置せざるを得ない場合がある。
【０００５】
特に、２軸ヒンジを採用した折り畳み式携帯電話機では、キー操作部側に表示画面側の面が対向するように本体と蓋体とを重ね合わせる場合と、キー操作部側に表示画面と反対側の面が対向するように本体と蓋体とを重ね合わせる場合とがあり、例えば蓋体の一方の面の近傍に磁石を設け、本体に磁気センサを設けると、反対側の面をキー操作部側に対向させる場合に、蓋体の厚みだけ磁石が磁気センサから遠ざかることになり、開閉の感度が低下するおそれがある。
【０００６】
一方、開閉の感度が低下しないように磁石の磁気を強くすると、携帯電話機の周囲への磁気漏洩が大きくなり、周囲の磁気製品（磁気カード等）に悪影響を与えたりするおそれがある。
【０００７】
本発明の課題は、磁石の磁気センサへの影響を損なうことなく、外部への磁気漏洩を低下させることである。
【課題を解決するための手段】
【００１０】
以上の課題を解決するため、請求項１に記載の発明は、第１の筐体と、前面側に表示装置を備える第２の筐体と、互いにねじれの位置の関係にある２つの回転軸を有する二軸ヒンジと、を備え、第１の回転軸が前記第１の筐体に連結され、前記第１の筐体が前記第１の回転軸の軸線を中心にして回転可能に設けられ、第２の回転軸が前記第２の筐体に連結され、前記第２の筐体が前記第２の回転軸の軸線を中心にして回転可能に設けられることにより、前記第２の筐体の前面または背面が前記第１の筐体の前面に対して重ね合わせ可能とされる携帯型電子機器において、前記第１の筐体には磁気を検出する磁気センサが設けられ、前記第２の筐体の背面側には、前記第２の筐体の前面と前記第１の筐体の前面とが対向して重ね合わせられた第１の状態で、前記磁気センサと対向配置される第１の磁石と、前記第２の筐体の背面と前記第１の筐体の前面とが対向して重ね合わせられた第２の状態で、前記磁気センサと対向配置される第２の磁石と、が設けられ、前記第１の状態では、前記第２の磁石と前記第１の筐体との距離は所定の距離を有し、前記第２の状態では、前記第１の磁石と前記第１の筐体との距離は前記所定の距離よりも小さく、前記第１の磁石の背面側には磁気シールドが設けられ、該磁気シールドは、前記第１の状態で、前記第１の磁石の前記磁気センサとは反対側に位置して、前記第１の磁石から前記磁気センサへの磁気の流れを妨害せず、前記第２の状態で、前記第１の磁石と前記第１の筐体との間に位置する、ことを特徴とする。
【００１１】
請求項１に記載の発明によれば、表示装置を備える第２の筐体の背面側に第１の磁石が設けられ、第１の磁石の背面側に磁気シールドが設けられているので、間に表示装置を挟んだ状態で磁気センサに検出されるような強い磁気を有する磁石を用いる場合でも、第１の磁石の背面側への磁気漏洩を磁気シールドにより低下させることができる。
また、第２の磁石の磁気を磁気センサが検出することで、第２の筐体の背面と第１の筐体の前面とが対向して重ね合わせられた状態を識別することができる。
【００１２】
請求項２に記載の発明は、請求項１に記載の携帯型電子機器であって、前記第１の磁石は、前記第２の磁石より磁気が強いことを特徴とする。
【発明の効果】
【００１４】
本発明によれば、磁気シールドにより磁気漏洩を低下させることができるので、漏洩する磁気が電波の送受信の妨げとなったり、磁気カード等の周囲の磁気製品に悪影響を与えたりすることを防ぐことができる。
【発明を実施するための最良の形態】
【００１５】
以下、本発明の実施形態を、折り畳み式の携帯電話機を例に挙げて詳細に説明する。
図１，図２は本発明の実施形態に係る携帯電話機１の開いた状態を示す図であり、図１は正面側左斜め前方から見た斜視図、図２は背面側右斜め後方から見た斜視図である。また、図３は図２のIII−III矢視断面図である。
【００１６】
本実施形態の携帯電話機１は、２軸ヒンジを用いた折り畳み式の携帯電話機であり、本体２と、蓋体３と、ヒンジ部４とから概略構成されている。本体２は、上端部でヒンジ部４と接続されており、蓋体３は、下端部でヒンジ部４と接続されている。
【００１７】
図３に示すように、本体２の上端部には、左右方向に配置されたシャフト４１，４２が設けられており、軸受４３がシャフト４１，４２に対して回転可能に取り付けられている。また、蓋体３の下端部には、上下方向に配置されたシャフト４４が設けられており、軸受４３はシャフト４４に対して回転可能に取り付けられている。従って、本体２がヒンジ部４に対してシャフト４１，４２を中心に回転可能に設けられているとともに、蓋体３がヒンジ部４に対してシャフト４４を中心に回転可能に設けられている。
【００１８】
本体２の一方の面には、キー操作部５が設けられている。また、蓋体３の一方の面には、表示画面６が設けられている。なお、図１では、本体２のキー操作部５及び蓋体３の表示画面６が正面に向けられている。
【００１９】
図１の状態から、蓋体３及びヒンジ部４を本体２に対してシャフト４１，４２を中心に回転させることで、本体２のキー操作部５側に蓋体３を重ねることができる。この場合、蓋体３の表示画面６と本体２のキー操作部５とが対向配置される。図４はこの状態の携帯電話機１を示す正面図である。
【００２０】
また、図１の状態から、蓋体３をヒンジ部４に対してシャフト４４を中心に１８０°回転させた後、蓋体３及びヒンジ部４を本体２に対してシャフト４１，４２を中心に回転させることで、蓋体３の表示画面６が正面に配置されるように本体２の正面側に蓋体３を重ねることができる。この場合、蓋体３の表示画面６と反対側の面と、本体２のキー操作部５とが対向配置される。図５はこの状態の携帯電話機１を示す正面図である。
【００２１】
本実施の形態の携帯電話機１には、本体２と蓋体３とが重ねられた状態（閉じた状態）と、開いた状態とを検出する開閉検出機構が設けられている。以下、開閉検出機構について説明するために、携帯電話機１の内部構造について説明する。
【００２２】
まず、本体２について説明する。図６は図４のVI−VI矢視断面図であり、図７は図５のVII−VII矢視断面図である。本体２は、フロントケース７と、リアケース９と、ユニットアッシー１０と、キーパッド２０とから概略構成されている。
【００２３】
フロントケース７とリアケース９とは組み合わされて本体２の筐体をなす。フロントケース７にはキーパッド２０のキートップ２６を露出させる開口部８が設けられている。リアケース９の後部にはバッテリー９ａを収納する凹部が設けられており、バッテリー９ａが収納された凹部はバッテリー蓋９ｂにより蓋されている。
【００２４】
ユニットアッシー１０は、概略、回路基板１１と、メインフレーム１２と、キー基板１３とからなる。
回路基板１１には、メインプロセッサ、メモリー、モデム、電源ＩＣ、アンテナ、メモリーカードスロット、ＩＦコネクタ、イヤホンコネクタ等が設けられている。また、回路基板１１は、キー基板１３の端部に設けられた図示しないフレキシブル配線基板を介してキー基板１３と接続されている。
【００２５】
さらに、回路基板１１には、キー操作部５を正面に、ヒンジ部４側を上方に配置したときの下部左側に、磁気センサ１４が設けられている。磁気センサ１４は蓋体３に設けられた後述する磁石５１，５２のいずれかの磁気を検出する。磁気センサ１４としては、例えばホール素子を用いることができる。ホール素子は磁石のＮ極またはＳ極が近づいたことを検出するものである。
この磁気センサ１４が、開閉検出センサとして機能する。つまり、本実施の形態においては、蓋体３の開閉を検出する機構は、本体２側に設けられた磁気センサ１４と蓋体３側に設けられた磁石５１，５２とで構成されている。
【００２６】
メインフレーム１２は、例えばＭｇ合金等からなり、本体の強度を高めるとともに、電気的なグラウンドや電磁波シールド（ノイズシールド）としても機能する。メインフレーム１２の後側面には１つ或いは複数の凹部が形成されており、この後側面には、メインプロセッサ、メモリー、モデム、電源ＩＣ等が凹部収納されるような状態で回路基板１１が設けられている。
【００２７】
メインフレーム１２の上端部には、図示しない軸受けを介してシャフト４１，４２が固定されている。また、メインフレーム１２の前側面は平坦面となっており、この平坦面上には、キー基板１３が設けられている。
キー基板１３は、ドームスイッチのような可動接点と固定接点とを備えた薄型の押圧式スイッチ１５が複数設けられたもので、例えば、可動接点となるドーム板部が複数形成されたフレキシブル配線基板と、固定接点が複数形成されたフレキシブル配線基板とを張り合わたり、１枚のフレキシブル配線基板を折畳む構成にして、一方の領域に可動接点となるドーム板部を複数形成するとともに他方の領域に固定接点を複数形成し、ドーム板部と固定接点とが互いに対向するように折畳むことにより形成される。この場合、キー基板１３と回路基板１１とを接続するフレキシブル基板は、キー基板１３を構成しているフレキシブル基板の一部を延長することにより構成される。
【００２８】
キーパッド２０は、キー基板１３に重ねられるキーラバー２１と、その上に重ねられるキーフレーム２５及びキートップ２６とからなる。
キーラバー２１は、ベース部２４と、ボタン部２２とからなる。ボタン部２２の前面には、キートップ２６が貼り付けられている。また、ボタン部２２の後面の中央には、後方に突起した押圧部２３が設けられている。押圧部２３の位置はキー基板１３のスイッチ１５と対応している。
ベース部２４の前面には、キーフレーム２５が設けられている。キーフレーム２５はキーラバー２１のベース部２４とほぼ同形状のステンレス板からなり、各ボタン部２２が挿通されている。キートップ２６は、各ボタン部２２の前面に接着して取り付けられる。
キートップ２６はフロントケース７の開口部８から露出され、キー操作部５となる。
【００２９】
次に、蓋体３について説明する。
図８は蓋体３の分解斜視図である。図８に示すように、蓋体３は、ディスプレイパネル３１と、フロントフレーム３２と、ＬＣＤ（Liquid Crystal Display）モジュール３３と、ＬＣＤフレーム３４と、回路基板３５と、リアケース３６とから概略構成されている。
【００３０】
ディスプレイパネル３１はＬＣＤモジュール３３の表示部が見えるように透明であり、ＬＣＤモジュール３３の表示部を保護する。ディスプレイパネル３１の背面の外周部はフロントフレーム３２に接着されている。
ＬＣＤモジュール３３は、ＬＣＤフレーム３４内に収納され、フロントフレーム３２とＬＣＤフレーム３４とを嵌合させることで固定される。また、ＬＣＤモジュール３３の上端部にはフレキシブル配線基板（ＦＰＣ）３７が設けられている。なお、ＬＣＤフレーム３４の上端部にはＦＰＣ３７を挿通させる挿通孔３４ａが設けられており、ＬＣＤフレーム３４の前面側から挿通孔３４ａに挿通されたＦＰＣ３７はＬＣＤフレーム３４の回路基板３５と接続される。
また、ＬＣＤフレーム３４の下端部には、軸受け４８を介してシャフト４４が固定されている。
【００３１】
フロントフレーム３２、ＬＣＤフレーム３４はネジ３８，３８によりリアケース３６に固定される。なお、ネジ３８，３８の頭部はカバー３９がフロントフレーム３２に接着されることにより覆われる。
また、回路基板３５には、フレキシブル配線基板４０により、磁気センサ５４（図３参照）が接続されている。磁気センサ５４としては、磁気センサ１４と同様に、例えばホール素子を用いることができる。磁気センサ５４は蓋体３の下端部に配置され、ヒンジ部４に設けられた後述する磁石４６，４７のいずれかの磁気を検出する。
【００３２】
リアケース３６には、表示画面６を正面に、ヒンジ部４側を下方に配置したときの上部左右２箇所に、磁石５１，５２が設けられている。磁石５１，５２の磁極は反対向きに配置されている。例えば、磁気センサ１４がＮ極を検出するホール素子であれば、磁石５１はＮ極がＬＣＤモジュール３３側に、Ｓ極がリアケース３６側に向けられ、磁石５２はＳ極がＬＣＤモジュール３３側に、Ｎ極がリアケース３６側に向けられる。反対に、磁気センサ１４がＳ極を検出するホール素子であれば、磁石５１はＳ極がＬＣＤモジュール３３側に、Ｎ極がリアケース３６側に向けられ、磁石５２はＮ極がＬＣＤモジュール３３側に、Ｓ極がリアケース３６側に向けられる。
なお、左側の磁石５１のほうが右側の磁石５２よりも大きく、より強力な磁気を有する。
【００３３】
また、左側の磁石５１のリアケース３６側には、磁気シールド５３が設けられている。磁気シールド５３はリアケース３６の外側へ漏洩する磁石の磁気を低減する。磁気シールド５３としては、強磁性体を用いることができ、例えば鉄ニッケル合金や、強磁性体の金属板、例えば鉄板や４００系のステンレス板等を用いることができる。
【００３４】
磁石５１は磁石５２よりも強力な磁気を有するが、リアケース３６側に磁気シールド５３が設けられていることで、リアケース３６側への磁気の漏洩を防ぎ、漏洩する磁気が磁気カード等の周囲の磁気製品に悪影響を与えたりすることを防ぐことができる。なお、右側の磁石５２のリアケース３６側にも、磁気シールドを設けてもよい。
【００３５】
回路基板３５は、ＬＣＤフレーム３４の背面に設けられており、シャフト４１，４４の中央に挿通されたケーブル４５を介して本体２の回路基板１１と接続されている。
【００３６】
ヒンジ部４には、図３に示すように、シャフト４４の左右に、磁石４６，４７が設けられている。磁石４６，４７の磁極は反対向きに配置されており、磁石４６，４７の一方はＮ極を蓋体３側に向け、他方はＳ極を蓋体３側に向けている。例えば磁気センサ５４がＮ極を検出するホール素子であり、磁石４６のＮ極、磁石４７のＳ極が蓋体３側に向けられている場合には、磁気センサ５４と磁石４６とが対向配置されたときに、磁気センサ５４が磁気を検出する。他方、磁気センサ５４がＳ極を検出するホール素子である場合には、磁気センサ５４と磁石４７とが対向配置されたときに、磁気センサ５４が磁気を検出する。磁気センサ５４がホール素子である場合、磁石は本来１つ設ければよいが、本実施の形態においては、ヒンジ部４のシャフト４１，４２，４３や軸受け４３、本体２や蓋体３に設けられるシャフト４１，４２，４３用の軸受けが鉄系の金属（合金を含む）で形成されているので、これらが磁石４６或いは４７によって磁化され、磁気センサ５４であるホール素子が磁石と対向していなくても磁気を検出する、とういう不都合を完全に無くすために極性の異なる２つの磁石を設けている。
【００３７】
次に、携帯電話機１のメインプロセッサが、蓋体３と本体２との開閉状態、及び表示画面６の向きを識別する仕組みについて説明する。
【００３８】
まず、キー操作部５と表示画面６とが対向配置された状態で蓋体３と本体２とが重ね合わせられているときには、図６に示すように、磁気センサ１４と磁石５１とがＬＣＤモジュール３３を挟んで対向配置される。このとき、磁気センサ１４と磁石５１との間にはＬＣＤモジュール３３等があり、大きく離れているが、磁石５１の磁気が強力であるため、磁気センサ１４は磁石５１の磁気を検出する。
【００３９】
一方、蓋体３の表示画面６と反対側の面と本体２のキー操作部５とが対向配置された状態では、図７に示すように、磁気センサ１４と磁石５２とが対向配置される。磁石５２の磁気は磁石５１と比べて弱いが、磁気センサ１４と磁石５２との距離が充分に近いため、磁気センサ１４は磁石５２の磁気を検出する。なお、右側の磁石５２のリアケース３６側に磁気シールドが設けられている場合でも、磁気センサ１４と磁石５２との距離が充分に近いため、磁気センサ１４は磁石５２の磁気を検出することができる。
【００４０】
磁気センサ１４が磁気を検出すると、蓋体３と本体２とが重ね合わせられているとメインプロセッサが識別する。
【００４１】
なお、表示画面６がキー操作部５と対向配置されているか、それとも表示画面６と反対側の面がキー操作部５と対向配置されているかは、磁気センサ５４が磁気を検出するか否かによりメインプロセッサが識別する。
【００４２】
例えば、磁気センサ５４がＮ極（Ｓ極）を検出するホール素子であり、磁石４６のＮ極（Ｓ極）、磁石４７のＳ極（Ｎ極）が蓋体３側に向けられている場合には、磁気センサ５４と磁石４６とが対向配置されたとき、すなわち表示画面６が正面に向けられているときに磁気センサ５４が磁石４６の磁気を検出するので、表示画面６が正面に向けられているとメインプロセッサが識別する。一方、磁気センサ５４と磁石４７とが対向配置されたとき、すなわち表示画面６が背面に向けられているときには磁気センサ５４は磁石４７の磁気を検出しないので、表示画面６が正面に向けられているとメインプロセッサは識別しない。
【００４３】
したがって、磁気センサ１４が磁気を検出し、かつ磁気センサ５４が磁気を検出したときは、本体２のキー操作部５と蓋体３の表示画面６とが対向配置して折り畳まれた状態であるとメインプロセッサは識別する。一方、磁気センサ１４が磁気を検出し、かつ磁気センサ５４が磁気を検出しなかったときは、本体２のキー操作部５と蓋体３の表示画面６と反対側の面とが対向配置して折り畳まれた状態であるとメインプロセッサは識別する。
【００４４】
反対に、例えば、磁気センサ５４がＮ極（Ｓ極）を検出するホール素子であり、磁石４６のＳ極（Ｎ極）、磁石４７のＮ極（Ｓ極）が蓋体３側に向けられている場合には、磁気センサ５４と磁石４７とが対向配置されたとき、すなわち表示画面６が背面に向けられているときに磁気センサ５４が磁石４７の磁気を検出するので、表示画面６が背面に向けられているとメインプロセッサは識別する。一方、磁気センサ５４と磁石４６とが対向配置されたとき、すなわち表示画面６が正面に向けられているときには磁気センサ５４が磁石４６の磁気を検出しないので、表示画面６が背面に向けられているとメインプロセッサが識別しない。
【００４５】
したがって、磁気センサ１４が磁気を検出し、かつ磁気センサ５４が磁気を検出したときは、本体２のキー操作部５と蓋体３の表示画面６と反対側の面とが対向配置して折り畳まれた状態であるとメインプロセッサは識別する。一方、磁気センサ１４が磁気を検出し、かつ磁気センサ５４が磁気を検出しなかったときは、本体２のキー操作部５と蓋体３の表示画面６とが対向配置して折り畳まれた状態であるとメインプロセッサは識別する。
【００４６】
以上示したように、磁気センサ１４，５４が磁気を検出したか否かにより、メインプロセッサは本体２と蓋体３との位置関係を識別することができる。
【００４７】
なお、以上の実施形態においては、蓋体３に開閉検出用の左右２つの磁石５１，５２を設け、本体２に磁気センサ１４を設けたが、蓋体３に開閉検出用の磁石を１つ設け、本体２に左右２つの磁気センサを設けてもよい。この場合、磁気センサとしては、磁極の極性に関係なく磁界の強度を検出するＭＲセンサを用いることもできる。なお、磁気センサとしてＭＲセンサを用いる場合には特に問題はないが、磁気センサとしてホール素子を用いる場合には、極性の異なるホール素子用いる必要がある。
また、蓋体３に磁気センサを設け、本体２に開閉検出用の磁石を設けてもよい。
また、１軸ヒンジの単なる折畳み式の携帯電話機においては、蓋体３或いは本体２に設ける磁石及び磁気センサはそれぞれ１つ設ければよいが、磁石を蓋体３のリアケース側に設ける場合には、本発明が適用可能である。
なお、上記実施形態では、携帯電話機を例に挙げて説明を行ったが、本発明は折畳み式の携帯電子機器であれば適用可能であり、例えば、ノート型パーソナルコンピュータ、ＰＤＡ（Personal Digital Assistance）、電子手帳等に本発明を適用してもよい。
【図面の簡単な説明】
【００４８】
【図１】本発明を適用した折り畳み式電子機器の一実施形態の構成を示すもので、折り畳み式携帯電話機を開いた状態の斜視図である。に係る携帯電話機１を正面側左斜め前方から見た斜視図である。
【図２】本発明に係る携帯電話機１を背面側右斜め後方から見た斜視図である。
【図３】図２のIII−III矢視断面図である。
【図４】蓋体３の表示画面６と本体２のキー操作部５とが対向配置された状態の携帯電話機１を示す正面図である。
【図５】蓋体３の表示画面６と反対側の面と本体２のキー操作部５とが対向配置された状態の携帯電話機１を示す正面図である。
【図６】図４のVI−VI矢視断面図である。
【図７】図５のVII−VII矢視断面図である。
【図８】蓋体３の分解斜視図である。
【符号の説明】
【００４９】
１  携帯電話機（携帯型電子機器）
２  本体（第１筐体）
３  蓋体（第２筐体）
４  ヒンジ部（ヒンジ）
１４，５４  磁気センサ
３３  表示装置
４１，４２，４４  シャフト（回転軸）
４６，４７，５１，５２  磁石
５３  磁気シールド
【図１】
0004757647.tif 000002
【図２】
0004757647.tif 000003
【図３】
0004757647.tif 000004
【図４】
0004757647.tif 000005
【図５】
0004757647.tif 000006
【図６】
0004757647.tif 000007
【図７】
0004757647.tif 000008
【図８】
0004757647.tif 000009